(57)【要約】【課題】Ｕｎ無線ベアラにおける送受信処理とＵｕ無線ベアラにおける送受信処理との衝突から引き起こされるリレーノード自身の受信機への干渉を低減する。【解決手段】本発明に係る移動通信方法は、リレーノードＲＮが、無線基地局ＤｅＮＢによって送信されている報知情報に基づいて、無線基地局ＤｅＮＢとの間のＳＦＮ同期処理を行う工程Ａと、リレーノードＲＮが、無線基地局ＤｅＮＢとの間でＲＲＣコネクションを設定する際に、無線基地局ＤｅＮＢに対して、ＳＦＮ同期処理の結果を通知する工程Ｂとを有する。【選択図】図５
2011004373.tif 000002
【特許請求の範囲】
【請求項１】
リレーノードが、無線基地局によって送信されている報知情報に基づいて、該無線基地局との間の同期処理を行う工程Ａと、
前記リレーノードが、前記無線基地局との間でコネクションを設定する際に、該無線基地局に対して、前記同期処理の結果を通知する工程Ｂとを有することを特徴とする移動通信方法。
【請求項２】
前記コネクションは、ＲＲＣコネクションであり、
前記工程Ｂにおいて、前記リレーノードは、前記ＲＲＣコネクションの設定手順において送信される「ＲＲＣ  Ｃｏｎｎｅｃｔｉｏｎ  Ｒｅｃｏｎｆｉｇｕｒａｔｉｏｎ  Ｃｏｍｐｌｅｔｅ」によって、前記無線基地局に対して、前記同期処理の結果を通知することを特徴とする請求項１に記載の移動通信方法。
【請求項３】
前記無線基地局が、前記同期処理の結果が失敗である場合、前記リレーノードに対して、前記同期処理を行うように要求する工程Ｃを更に有することを特徴とする請求項１に記載の移動通信方法。
【請求項４】
前記工程Ｃにおいて、前記無線基地局は、前記コネクションの構成を変更するための信号によって、前記同期処理を行うように要求することを特徴とする請求項３に記載の移動通信方法。
【請求項５】
前記コネクションは、ＲＲＣコネクションであり、
前記信号は、「ＲＲＣ  Ｃｏｎｎｅｃｔｉｏｎ  Ｒｅｃｏｎｆｉｇｕｒａｔｉｏｎ」であることを特徴とする請求項４に記載の移動通信方法。
【請求項６】
無線基地局であって、
リレーノードとの間でコネクションを設定する際に、該リレーノードによって行われた前記無線基地局との間の同期処理の結果を取得するように構成されている取得部と、
前記同期処理の結果が失敗である場合、前記リレーノードに対して、前記同期処理を行うように要求するように構成されている同期処理要求部とを具備することを特徴とする無線基地局。
【請求項７】
前記コネクションは、ＲＲＣコネクションであり、
前記取得部は、前記ＲＲＣコネクションの設定手順において送信される「ＲＲＣ  Ｃｏｎｎｅｃｔｉｏｎ  Ｒｅｃｏｎｆｉｇｕｒａｔｉｏｎ  Ｃｏｍｐｌｅｔｅ」から、前記同期処理の結果を取得するように構成されていることを特徴とする請求項６に記載の無線基地局。
【請求項８】
前記同期処理要求部は、前記コネクションの構成を変更するための信号によって、前記同期処理を行うように要求するように構成されていることを特徴とする請求項６に記載の無線基地局。
【請求項９】
前記コネクションは、ＲＲＣコネクションであり、
前記信号は、「ＲＲＣ  Ｃｏｎｎｅｃｔｉｏｎ  Ｒｅｃｏｎｆｉｇｕｒａｔｉｏｎ」であることを特徴とする請求項８に記載の無線基地局。
【請求項１０】
リレーノードであって、
無線基地局によって送信されている報知情報に基づいて、該無線基地局との間の同期処理を行うように構成されている同期処理部と、
前記無線基地局との間でコネクションを設定する際に、前記無線基地局に対して、前記同期処理の結果を通知するように構成されている通知部とを具備することを特徴とするリレーノード。
【請求項１１】
前記コネクションは、ＲＲＣコネクションであり、
前記通知部は、前記ＲＲＣコネクションの設定手順において送信される「ＲＲＣ  Ｃｏｎｎｅｃｔｉｏｎ  Ｒｅｃｏｎｆｉｇｕｒａｔｉｏｎ  Ｃｏｍｐｌｅｔｅ」によって、前記無線基地局に対して、前記同期処理の結果を通知するように構成されていることを特徴とする請求項１０に記載のリレーノード。
【請求項１２】
リレーノードが、無線基地局によって送信されている報知情報に基づいて、該リレーノードと該無線基地局との間の無線フレームの先頭位置のずれを測定する工程Ａと、
前記リレーノードが、前記無線基地局との間でコネクションを設定する際に、該無線基地局に対して、前記無線フレームの先頭位置のずれを通知する工程Ｂとを有することを特徴とする移動通信方法。
【請求項１３】
前記コネクションは、ＲＲＣコネクションであり、
前記工程Ｂにおいて、前記リレーノードは、前記ＲＲＣコネクションの設定手順において送信される「ＲＲＣ  Ｃｏｎｎｅｃｔｉｏｎ  Ｒｅｃｏｎｆｉｇｕｒａｔｉｏｎ  Ｃｏｍｐｌｅｔｅ」によって、前記無線基地局に対して、前記無線フレームの先頭位置のずれを通知することを特徴とする請求項１２に記載の移動通信方法。
【請求項１４】
リレーノードであって、
無線基地局によって送信されている報知情報に基づいて、前記リレーノードと該無線基地局との間の無線フレームの先頭位置のずれを測定するように構成されている同期処理部と、
前記無線基地局との間でコネクションを設定する際に、前記無線基地局に対して、前記無線フレームの先頭位置のずれを通知するように構成されている通知部とを具備することを特徴とするリレーノード。
【請求項１５】
前記コネクションは、ＲＲＣコネクションであり、
前記通知部は、前記ＲＲＣコネクションの設定手順において送信される「ＲＲＣ  Ｃｏｎｎｅｃｔｉｏｎ  Ｒｅｃｏｎｆｉｇｕｒａｔｉｏｎ  Ｃｏｍｐｌｅｔｅ」によって、前記無線基地局に対して、前記無線フレームの先頭位置のずれを通知するように構成されていることを特徴とする請求項１４に記載のリレーノード。
【発明の詳細な説明】
【技術分野】
【０００１】
本発明は、移動通信方法、無線基地局及びリレーノードに関する。
【背景技術】
【０００２】
ＬＴＥ（Ｌｏｎｇ  Ｔｅｒｍ  Ｅｖｏｌｕｔｉｏｎ）方式の後継の通信方式であるＬＴＥ-Ａｄｖａｎｃｅｄ方式の移動通信システムでは、移動局ＵＥと無線基地局ＤｅＮＢ（Ｄｏｎｏｒ  ｅＮＢ）との間に、無線基地局ＤｅＮＢと同様な機能を具備する「リレーノード（Ｒｅｌａｙ  Ｎｏｄｅ）ＲＮ」を接続することができる。
【０００３】
かかるＬＴＥ-Ａｄｖａｎｃｅｄ方式の移動通信システムでは、移動局ＵＥとコアノードＣＮ（Ｃｏｒｅ  Ｎｏｄｅ）との間で、Ｅ-ＲＡＢ（Ｅ-ＵＴＲＡＮ  Ｒａｄｉｏ  Ａｃｃｅｓｓ  Ｂｅａｒｅｒ）が設定され、移動局ＵＥとリレーノードＲＮとの間で、Ｕｕ無線ベアラが設定され、リレーノードＲＮと無線基地局ＤｅＮＢとの間で、Ｕｎ無線ベアラが設定され、無線基地局ＤｅＮＢとコアノードＣＮとの間で、Ｓ１ベアラが設定されるように構成されている。
【先行技術文献】
【非特許文献】
【０００４】
【非特許文献１】３ＧＰＰ  ＴＳ３６.３００（Ｖ８.８.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年３月
【非特許文献２】３ＧＰＰ  ＴＲ３６.８１４（Ｖ１.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２００９年２月
【非特許文献３】３ＧＰＰ  ＴＳ３６.３３１（Ｖ８.６.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２００９年６月
【非特許文献４】３ＧＰＰ  Ｒ１-０８４６８６、「Ｕｐｄａｔｅｄ  ＷＦ ｏｎ  ａｄｄｒｅｓｓｉｎｇ  ｆｏｒｗａｒｄ  ｃｏｍｐａｔｉｂｉｌｉｔｙ  ｉｎ  Ｒｅｌ-８」、２００８年１１月
【発明の概要】
【発明が解決しようとする課題】
【０００５】
しかしながら、かかる移動通信システムにおいて、リレーノードＲＮと無線基地局ＤｅＮＢとの間で同期が取れていないと、リレーノードＲＮによる無線基地局ＤｅＮＢからの下り信号の受信処理（Ｕｎ無線ベアラにおける受信処理）とリレーノードＲＮによる移動局ＵＥへの下り信号の送信処理（Ｕｕ無線ベアラにおける送信処理）との衝突や、リレーノードＲＮによる移動局ＵＥからの上り信号の受信処理（Ｕｕ無線ベアラにおける受信処理）とリレーノードＲＮによる無線基地局ＤｅＮＢへの上り信号の送信処理（Ｕｎ無線ベアラにおける送信処理）との衝突を回避することが困難になり、リレーノードＲＮの送信信号がＲＮ自身の受信機に回り込み、干渉が発生してしまう可能性が高くなるという問題点があった。
【０００６】
そこで、本発明は、上述の課題に鑑みてなされたものであり、Ｕｎ無線ベアラにおける送受信処理とＵｕ無線ベアラにおける送受信処理との衝突から引き起こされるリレーノード自身の受信機への干渉を低減することができる移動通信方法、無線基地局及びリレーノードを提供することを目的とする。
【課題を解決するための手段】
【０００７】
本発明の第１の特徴は、移動通信方法であって、リレーノードが、無線基地局によって送信されている報知情報に基づいて、該無線基地局との間の同期処理を行う工程Ａと、前記リレーノードが、前記無線基地局との間でコネクションを設定する際に、該無線基地局に対して、前記同期処理の結果を通知する工程Ｂとを有することを要旨とする。
【０００８】
本発明の第２の特徴は、無線基地局であって、リレーノードとの間でコネクションを設定する際に、該リレーノードによって行われた前記無線基地局との間の同期処理の結果を取得するように構成されている取得部と、前記同期処理の結果が失敗である場合、前記リレーノードに対して、前記同期処理を行うように要求するように構成されている同期処理要求部とを具備することを要旨とする。
【０００９】
本発明の第３の特徴は、リレーノードであって、無線基地局によって送信されている報知情報に基づいて、該無線基地局との間の同期処理を行うように構成されている同期処理部と、前記無線基地局との間でコネクションを設定する際に、前記無線基地局に対して、前記同期処理の結果を通知するように構成されている通知部とを具備することを要旨とする。
【００１０】
本発明の第４の特徴は、移動通信方法であって、リレーノードが、無線基地局によって送信されている報知情報に基づいて、該リレーノードと該無線基地局との間の無線フレームの先頭位置のずれを測定する工程Ａと、前記リレーノードが、前記無線基地局との間でコネクションを設定する際に、該無線基地局に対して、前記無線フレームの先頭位置のずれを通知する工程Ｂとを有することを要旨とする。
【００１１】
本発明の第５の特徴は、リレーノードであって、無線基地局によって送信されている報知情報に基づいて、前記リレーノードと該無線基地局との間の無線フレームの先頭位置のずれを測定するように構成されている同期処理部と、前記無線基地局との間でコネクションを設定する際に、前記無線基地局に対して、前記無線フレームの先頭位置のずれを通知するように構成されている通知部とを具備することを要旨とする。
【発明の効果】
【００１２】
以上説明したように、本発明によれば、Ｕｎ無線ベアラにおける送受信処理とＵｕ無線ベアラにおける送受信処理との衝突から引き起こされるリレーノード自身の受信機への干渉を低減することができる移動通信方法、無線基地局及びリレーノードを提供することができる。
【図面の簡単な説明】
【００１３】
【図１】本発明の第１の実施形態に係る移動通信システムの全体構成図である。
【図２】本発明の第１の実施形態に係るリレーノードの機能ブロック図である。
【図３】本発明の第１の実施形態に係る移動通信システムにおける「ＲＲＣ  Ｃｏｎｎｅｃｔｉｏｎ  Ｒｅｃｏｎｆｉｇｕｒａｔｉｏｎ  Ｃｏｍｐｌｅｔｅ」のフォーマットの一例を示す図である。
【図４】本発明の第１の実施形態に係る無線基地局の機能ブロック図である。
【図５】本発明の第１の実施形態に係る移動通信システムの動作を示すシーケンス図である。
【図６】本発明の第１の実施形態の変更例１に係る移動通信システムの動作を示すシーケンス図である。
【図７】本発明の第１の実施形態の変更例２に係る移動通信システムの動作を示すシーケンス図である。
【図８】本発明の第１の実施形態の変更例３に係る移動通信システムの動作を示すシーケンス図である。
【図９】本発明の第１の実施形態の変更例４に係る移動通信システムの動作を示すシーケンス図である。
【発明を実施するための形態】
【００１４】
（本発明の第１の実施形態に係る移動通信システムの構成）
図１乃至図４を参照して、本発明の第１の実施形態に係る移動通信システムの構成について説明する。
【００１５】
図１に示すように、本実施形態に係る移動通信システムは、ＬＴＥ-Ａｄｖａｎｃｅｄ方式の移動通信システムであって、コアネットワークノード内のコアノード（例えば、ゲートウェイ装置Ｓ-ＧＷや交換局ＭＭＥ等）や、無線基地局ＤｅＮＢや、リレーノードＲＮ等を具備している。
【００１６】
ここで、図１の例では、無線基地局ＤｅＮＢと移動局ＵＥとの間には、Ｕｕ無線ベアラが設定されており、無線基地局ＤｅＮＢとリレーノードＲＮとの間には、Ｕｎ無線ベアラが設定されており、リレーノードＲＮと移動局ＵＥとの間には、Ｕｕ無線ベアラが設定されている。
【００１７】
また、本実施形態に係る移動通信システムでは、無線基地局ＤｅＮＢ及びリレーノードＲＮは、時分割多重方式で、上り信号及び下り信号を送信するように構成されている。
【００１８】
図２に示すように、リレーノードＲＮは、受信部１１と、同期処理部１２と、送信部１３と、スケジューリング部１４とを具備している。
【００１９】
受信部１１は、Ｕｎ無線ベアラを介して無線基地局ＤｅＮＢから送信された下り信号や、Ｕｕ無線ベアラを介して移動局ＵＥから送信された上り信号を受信するように構成されている。
【００２０】
また、受信部１１は、無線基地局ＤｅＮＢによって送信されている報知情報を受信し、かかる報知情報に含まれるＳＦＮ（Ｓｙｓｔｅｍ  Ｆｒａｍｅ  Ｎｕｍｂｅｒ）を取得するように構成されている。
【００２１】
また、受信部２１は、リレーノードＲＮと無線基地局ＤｅＮＢとの間でＲＲＣコネクションを設定する際や、リレーノードＲＮと無線基地局ＤｅＮＢとの間で設定されているＲＲＣコネクションの構成を変更する際に、無線基地局ＤｅＮＢから、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームの送信タイミングを取得するように構成されていてもよい。
【００２２】
ここで、ＭＢＳＦＮサブフレームは、ＭＢＳＦＮ用通信で用いられるサブフレームである。なお、本明細書において、ＭＢＳＦＮサブフレームには、３ＧＰＰ会合において「Ｂｌａｎｋサブフレーム」と呼ばれている制御信号用ＯＦＤＭシンボルが送信されないように規定されているＭＢＳＦＮサブフレームも含まれるものとする。
【００２３】
同期処理部１２は、無線基地局ＤｅＮＢによって送信されている報知情報に基づいて、無線基地局ＤｅＮＢとの間の同期処理を行うように構成されている。
【００２４】
例えば、同期処理部１２は、無線基地局ＤｅＮＢによって送信されている報知情報やＭＢＳＦＮサブフレームの送信タイミングに基づいて、無線基地局ＤｅＮＢとの間のＳＦＮ同期処理を行うように構成されている。
【００２５】
なお、かかるＳＦＮ同期処理とは、リレーノードＲＮと無線基地局ＤｅＮＢとの間で、ＳＦＮによって特定される無線フレームの先頭を一致させる処理を意味する。
【００２６】
送信部１３は、Ｕｎ無線ベアラを介して無線基地局ＤｅＮＢに対して上り信号を送信し、Ｕｕ無線ベアラを介して移動局ＵＥに対して下り信号を送信するように構成されている。
【００２７】
また、送信部１３は、リレーノードＲＮと無線基地局ＤｅＮＢとの間でＲＲＣコネクションを設定する際に、無線基地局ＤｅＮＢに対して、ＳＦＮ同期処理の結果を通知するように構成されている。
【００２８】
具体的には、送信部１３は、ＲＲＣコネクションの設定手順において送信される「ＲＲＣ  Ｃｏｎｎｅｃｔｉｏｎ  Ｒｅｃｏｎｆｉｇｕｒａｔｉｏｎ  Ｃｏｍｐｌｅｔｅ」によって、無線基地局ＤｅＮＢに対して、ＳＦＮ同期処理の結果を通知するように構成されていてもよい。
【００２９】
例えば、図３に示すように、送信部１３は、「ＲＲＣ  Ｃｏｎｎｅｃｔｉｏｎ  Ｒｅｃｏｎｆｉｇｕｒａｔｉｏｎ  Ｃｏｍｐｌｅｔｅ」内の情報要素「ｎｏｎｃｒｉｔｉｃａｌＥｘｔｅｎｓｉｏｎｓ」（Ｚ）に、かかるＳＦＮ同期処理の結果（成功/失敗）を設定してもよい。
【００３０】
スケジューリング部１４は、リレーノードＲＮ配下の移動局ＵＥに係るスケジューリングを行うように構成されている。
【００３１】
例えば、スケジューリング部１４は、ＭＢＳＦＮサブフレームの送信タイミング以外のタイミングで下り信号を送信するようにスケジューリングを行うように構成されていてもよい。
【００３２】
図４に示すように、無線基地局ＤｅＮＢは、送信部２１と、受信部２２と、スケジューリング部２３とを具備している。
【００３３】
送信部２１は、Ｕｎ無線ベアラを介してリレーノードＲＮに対して下り信号を送信し、Ｕｕ無線ベアラを介して移動局ＵＥに対して下り信号を送信し、コアノードＣＮに対して上り信号を送信するように構成されている。
【００３４】
また、送信部２１は、無線基地局ＤｅＮＢ配下のセルにおいて、上述のＳＦＮを含む報知情報を送信するように構成されている。
【００３５】
なお、送信部１２は、リレーノードＲＮに対して、上述のＭＢＳＦＮサブフレームの送信タイミングを通知するように構成されていてもよい。
【００３６】
受信部２２は、Ｕｎ無線ベアラを介してリレーノードＲＮから送信された上り信号や、Ｕｕ無線ベアラを介して移動局ＵＥから送信された上り信号や、コアノードＣＮから送信された下り信号を受信するように構成されている。
【００３７】
例えば、受信部２２は、無線基地局ＤｅＮＢとリレーノードＲＮとの間のＲＲＣコネクションの設定手順においてリレーノードＲＮから送信される「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信し、かかる「ＲＲＣ  Ｃｏｎｎｅｃｔｉｏｎ  Ｒｅｃｏｎｆｉｇｕｒａｔｉｏｎ  Ｃｏｍｐｌｅｔｅ」から、上述のＳＦＮ同期処理の結果を取得するように構成されていてもよい。
【００３８】
スケジューリング部２３は、無線基地局ＤｅＮＢ配下のリレーノードＲＮや移動局ＵＥに係るスケジューリングを行うように構成されている。
【００３９】
具体的には、スケジューリング部２３は、ＭＢＳＦＮサブフレームの送信タイミングで下り信号を送信するようにスケジューリングを行うように構成されていてもよい。
【００４０】
（本発明の第１の実施形態に係る移動通信システムの動作）
図５を参照して、本発明の第１の実施形態に係る移動通信システムの動作について説明する。
【００４１】
図５に示すように、ステップＳ１００１において、リレーノードＲＮは、起動時に、無線基地局ＤｅＮＢに対して、「ＲＲＣ  Ｃｏｎｎｅｃｔｉｏｎ  Ｒｅｑｕｅｓｔ」を送信する。
【００４２】
ステップＳ１００２において、無線基地局ＤｅＮＢは、リレーノードＲＮに対して、「ＲＲＣ  Ｃｏｎｎｅｃｔｉｏｎ  Ｓｅｔｕｐ」を送信する。
【００４３】
ステップＳ１００３において、リレーノードＲＮは、無線基地局ＤｅＮＢに対して、「Ａｔｔａｃｈ  Ｒｅｑｕｅｓｔ」を含む「ＲＲＣ  Ｃｏｎｎｅｃｔｉｏｎ  Ｓｅｔｕｐ  Ｃｏｍｐｌｅｔｅ」を送信する。
【００４４】
ステップＳ１００４において、無線基地局ＤｅＮＢは、コアノードＣＮに対して、「Ａｔｔａｃｈ  Ｒｅｑｕｅｓｔ」を含む「Ｉｎｉｔｉａｌ  ＵＥ  Ｍｅｓｓａｇｅ」を送信する。
【００４５】
ステップＳ１００５において、リレーノードＲＮとコアノードＣＮとの間で「Ａｕｔｈｅｎｔｉｃａｔｉｏｎ/Ｓｅｃｕｒｉｔｙ処理」が完了した後、ステップＳ１００６において、コアノードＣＮは、無線基地局ＤｅＮＢに対して、「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を送信する。
【００４６】
ステップＳ１００７において、無線基地局ＤｅＮＢは、リレーノードＲＮに対して、「ＲＲＣ  ＲＮ（ＵＥ）  Ｃａｐａｂｉｌｉｔｙ  Ｅｎｑｕｉｒｙ」を送信する。
【００４７】
ステップＳ１００８において、リレーノードＲＮは、無線基地局ＤｅＮＢに対して、「ＲＲＣ  ＲＮ（ＵＥ）  Ｃａｐａｂｉｌｉｔｙ  Ｉｎｆｏｒｍａｔｉｏｎ」を送信する。
【００４８】
ステップＳ１００９において、無線基地局ＤｅＮＢは、コアノードＣＮに対して、「（ＵＥ）  Ｃａｐａｂｉｌｉｔｙ  Ｉｎｆｏ  Ｉｎｄｉｃａｔｉｏｎ」を送信する。
【００４９】
無線基地局ＤｅＮＢは、リレーノードＲＮに対して、ステップＳ１０１０において、「Ｓｅｃｕｒｉｔｙ  Ｍｏｄｅ  Ｃｏｍｍａｎｄ」を送信し、ステップＳ１０１１において、「Ａｔｔａｃｈ  Ａｃｃｅｐｔ」を含む「ＲＲＣ  Ｃｏｎｎｅｃｔｉｏｎ  Ｒｅｃｏｎｆｉｇｕｒａｔｉｏｎ」を送信する。
【００５０】
ここで、無線基地局ＤｅＮＢは、リレーノードＲＮに対して、「ＲＲＣ  Ｃｏｎｎｅｃｔｉｏｎ  Ｒｅｃｏｎｆｉｇｕｒａｔｉｏｎ」によって、上述のＭＢＳＦＮサブフレームの送信タイミングを通知してもよい。
【００５１】
リレーノードＲＮは、無線基地局ＤｅＮＢに対して、ステップＳ１０１２において、「Ｓｅｃｕｒｉｔｙ  Ｍｏｄｅ  Ｃｏｍｐｌｅｔｅ」を送信し、ステップＳ１０１３において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００５２】
ここで、リレーノードＲＮは、無線基地局ＤｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」によって、無線基地局ＤｅＮＢによって送信されている報知情報及びＭＢＳＦＮサブフレームの送信タイミングに基づいて行ったＳＦＮ同期処理の結果を通知する。
【００５３】
ステップＳ１０１４において、無線基地局ＤｅＮＢは、コアノードＣＮに対して、「Ｉｎｉｔｉａｌ  Ｃｏｎｔｅｘｔ  Ｓｅｔｕｐ  Ｒｅｓｐｏｎｓｅ」を送信する。
【００５４】
ステップＳ１０１５において、リレーノードＲＮは、コアノードＣＮに対して、「Ａｔｔａｃｈ  Ｃｏｍｐｌｅｔｅ」を送信する。
【００５５】
（本発明の第１の実施形態に係る移動通信システムの作用・効果）
本発明の第１の実施形態に係る移動通信システムによれば、無線基地局ＤｅＮＢは、リレーノードＲＮと無線基地局ＤｅｎＢとの間でＳＦＮ同期が取られているか否かについて認識することができ、リレーノードＲＮにおけるリソースを制御することによって、リソースノードＲＮ内での干渉の発生を低減することができる。
【００５６】
（変更例１）
図６を参照して、本発明の第１の実施形態の変更例１に係る移動通信システムについて説明する。以下、本変更例１に係る移動通信システムについて、上述の本発明の第１の実施形態に係る移動通信システムとの相違点に着目して説明する。
【００５７】
本変更例１に係る移動通信システムでは、リレーノードＲＮの送信部１３は、「ＲＲＣ  Ｃｏｎｎｅｃｔｉｏｎ  Ｒｅｃｏｎｆｉｇｕｒａｔｉｏｎ  Ｃｏｍｐｌｅｔｅ」の代わりに、「Ｕｎ  Ｓｅｔｕｐ  Ｒｅｑｕｅｓｔ」によって、無線基地局ＤｅＮＢに対して、上述のＳＦＮ同期処理の結果を通知するように構成されていてもよい。
【００５８】
なお、「Ｕｎ  Ｓｅｔｕｐ  Ｒｅｑｕｅｓｔ」は、既存のＲＲＣコネクションの設定手順には規定されておらず、無線基地局ＤｅＮＢとリレーノードＲＮとの間で新たに規定される手順で用いられる信号である。
【００５９】
また、無線基地局ＤｅＮＢの受信部２２は、上述の「Ｕｎ  Ｓｅｔｕｐ  Ｒｅｑｕｅｓｔ」から、リレーノードＲＮにおけるＳＦＮ同期処理の結果を取得するように構成されていてもよい。
【００６０】
以下、図６を参照して、本変更例１に係る移動通信システムの動作について説明する。
【００６１】
図６に示すように、ステップＳ２００１乃至Ｓ２０１５の動作は、図５に示すステップＳ１００１乃至Ｓ１０１５の動作と同一である。ただし、ステップＳ２０１１において  リレーノードＲＮは、無線基地局ＤｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」によって、リレーノードＲＮにおけるＳＦＮ同期処理の結果を通知しない。
【００６２】
ステップＳ２０１６において、リレーノードＲＮは、無線基地局ＤｅＮＢに対して、リレーノードＲＮと無線基地局ＤｅＮＢとの間のＵｎ無線ベアラを設定することを要求する「Ｕｎ  Ｓｅｔｕｐ  Ｒｅｑｕｅｓｔ」を送信する。
【００６３】
ここで、リレーノードＲＮは、無線基地局ＤｅＮＢに対して、「Ｕｎ  Ｓｅｔｕｐ  Ｒｅｑｕｅｓｔ」によって、リレーノードＲＮにおけるＳＦＮ同期処理の結果を通知する。
【００６４】
ステップＳ２０１７において、無線基地局ＤｅＮＢは、リレーノードＲＮに対して、「Ｕｎ  Ｓｅｔｕｐ  Ｒｅｓｐｏｎｓｅ」を送信する。
【００６５】
（変更例２）
図７を参照して、本発明の第１の実施形態の変更例２に係る移動通信システムについて説明する。以下、本変更例２に係る移動通信システムについて、上述の本発明の第１の実施形態に係る移動通信システムとの相違点に着目して説明する。
【００６６】
本変更例に係る移動通信システムでは、リレーノードＲＮの送信部１３は、「ＲＲＣ  Ｃｏｎｎｅｃｔｉｏｎ  Ｒｅｃｏｎｆｉｇｕｒａｔｉｏｎ  Ｃｏｍｐｌｅｔｅ」の代わりに、「Ｕｎ  ＲＮ  Ｃｏｎｆｉｇｕｒａｔｉｏｎ  Ｉｎｄｉｃａｔｉｏｎ」によって、無線基地局ＤｅＮＢに対して、上述のＳＦＮ同期処理の結果を通知するように構成されていてもよい。
【００６７】
なお、「Ｕｎ  ＲＮ  Ｃｏｎｆｉｇｕｒａｔｉｏｎ  Ｉｎｄｉｃａｔｉｏｎ」は、既存のＲＲＣコネクションの設定手順には規定されておらず、無線基地局ＤｅＮＢとリレーノードＲＮとの間で新たに規定される手順で用いられる信号である。
【００６８】
また、無線基地局ＤｅＮＢの受信部２２は、上述の「Ｕｎ  ＲＮ  Ｃｏｎｆｉｇｕｒａｔｉｏｎ  Ｉｎｄｉｃａｔｉｏｎ」から、リレーノードＲＮにおけるＳＦＮ同期処理の結果を取得するように構成されていてもよい。
【００６９】
以下、図２７を参照して、本変更例１に係る移動通信システムの動作について説明する。
【００７０】
図７に示すように、ステップＳ３００１乃至Ｓ３０１５の動作は、図５に示すステップＳ１００１乃至Ｓ１０１５の動作と同一である。ただし、ステップＳ３０１１において  リレーノードＲＮは、無線基地局ＤｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」によって、リレーノードＲＮにおけるＳＦＮ同期処理の結果を通知しない。
【００７１】
ステップＳ３０１６において、リレーノードＲＮは、無線基地局ＤｅＮＢに対して、リレーノードＲＮと無線基地局ＤｅＮＢとの間の無線中継基地局としてのＵｎ無線ベアラの構成を通知する「Ｕｎ  ＲＮ  Ｃｏｎｆｉｇｕｒａｔｉｏｎ  Ｉｎｄｉｃａｔｉｏｎ」を送信する。
【００７２】
ここで、リレーノードＲＮは、無線基地局ＤｅＮＢに対して、「Ｕｎ  ＲＮ  Ｃｏｎｆｉｇｕｒａｔｉｏｎ  Ｉｎｄｉｃａｔｉｏｎ」によって、リレーノードＲＮにおけるＳＦＮ同期処理の結果を通知する。
【００７３】
（変更例３）
図８を参照して、本発明の第１の実施形態の変更例３に係る移動通信システムについて説明する。以下、本変更例３に係る移動通信システムについて、上述の本発明の第１の実施形態に係る移動通信システムとの相違点に着目して説明する。
【００７４】
本変更例３に係る移動通信システムでは、無線基地局ＤｅＮＢの送信部２１は、リレーノードＲＮによるＳＦＮ同期処理の結果が失敗であることを検知した場合、リレーノードＲＮに対して、ＳＦＮ同期処理を行うように要求するように構成されている。
【００７５】
具体的には、送信部２１は、ＲＲＣコネクションの構成を変更するための信号、例えば、「ＲＲＣ  Ｃｏｎｎｅｃｔｉｏｎ  Ｒｅｃｏｎｆｉｇｕｒａｔｉｏｎ」によって、ＳＦＮ同期処理を行うように要求するように構成されていてもよい。
【００７６】
図８を参照して、本変更例３に係る移動通信システムの動作について説明する。
【００７７】
図８に示すように、無線基地局ＤｅＮＢは、ステップＳ４００１において、所定トリガを検出すると、ステップＳ４００２において、リレーノードＲＮに対して、既に設定されているＲＲＣコネクションの構成を変更するための「ＲＲＣ  Ｃｏｎｎｅｃｔｉｏｎ  Ｒｅｃｏｎｆｉｇｕｒａｔｉｏｎ」を送信する。
【００７８】
ここで、無線基地局ＤｅＮＢは、リレーノードＲＮに対して、「ＲＲＣ  Ｃｏｎｎｅｃｔｉｏｎ  Ｒｅｃｏｎｆｉｇｕｒａｔｉｏｎ」によって、ＳＦＮ同期処理を行うように要求する。
【００７９】
ステップＳ４００３において、リレーノードＲＮは、無線基地局ＤｅＮＢとの間のＳＦＮ同期処理を行い、無線基地局ＤｅＮＢに対して、かかるＳＦＮ同期処理の結果を含む「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００８０】
（変更例４）
図９を参照して、本発明の第１の実施形態の変更例４に係る移動通信システムについて説明する。以下、本変更例１に係る移動通信システムについて、上述の本発明の第１の実施形態に係る移動通信システムとの相違点に着目して説明する。
【００８１】
本変更例３に係る移動通信システムでは、無線基地局ＤｅＮＢの送信部２１は、リレーノードＲＮによるＳＦＮ同期処理の結果が失敗であることを検知した場合、リレーノードＲＮに対して、ＳＦＮ同期処理を行うように要求するように構成されている。
【００８２】
具体的には、送信部２１は、ＲＲＣコネクションの構成を変更するための信号、例えば、「Ｕｎ  ＲＮ  Ｒｅｃｏｎｆｉｇｕｒａｔｉｏｎ」によって、ＳＦＮ同期処理を行うように要求するように構成されていてもよい。
【００８３】
なお、「Ｕｎ  ＲＮ  Ｒｅｃｏｎｆｉｇｕｒａｔｉｏｎ」は、無線基地局ＤｅＮＢとリレーノードＲＮとの間で新たに規定される手順で用いられる信号である。
【００８４】
以下、図９を参照して、本変更例４に係る移動通信システムの動作について説明する。
【００８５】
図９に示すように、無線基地局ＤｅＮＢは、ステップＳ５００１において、所定トリガを検出すると、ステップＳ５００２において、リレーノードＲＮに対して、既に設定されているＲＲＣコネクションの構成を変更するための「Ｕｎ  ＲＮ  Ｒｅｃｏｎｆｉｇｕｒａｔｉｏｎ」を送信する。
【００８６】
ここで、無線基地局ＤｅＮＢは、リレーノードＲＮに対して、「Ｕｎ  ＲＮ  Ｒｅｃｏｎｆｉｇｕｒａｔｉｏｎ」によって、ＳＦＮ同期処理を行うように要求する。
【００８７】
ステップＳ５００３において、リレーノードＲＮは、無線基地局ＤｅＮＢとの間のＳＦＮ同期処理を行い、無線基地局ＤｅＮＢに対して、かかるＳＦＮ同期処理の結果を含む「Ｕｎ  ＲＮ  Ｒｅｃｏｎｆｉｇｕｒａｔｉｏｎ  Ｃｏｍｐｌｅｔｅ」を送信する。
【００８８】
なお、「Ｕｎ  ＲＮ  Ｒｅｃｏｎｆｉｇｕｒａｔｉｏｎ  Ｃｏｍｐｌｅｔｅ」は、無線基地局ＤｅＮＢとリレーノードＲＮとの間で新たに規定される手順で用いられる信号である。
【００８９】
（変更例５）
以下、本発明の第１の実施形態の変更例５に係る移動通信システムについて、上述の本発明の第１の実施形態に係る移動通信システムとの相違点に着目して説明する。
【００９０】
リレーノードＲＮの同期処理部１２は、無線基地局ＤｅＮＢによって送信されている報知情報に基づいて、無線基地局ＤｅＮＢとリレーノードＲＮとの間でＳＦＮ同期処理を行う代わりに、リレーノードＲＮが送信する無線フレームのＳＦＮと第２無線基地局Ｓ-ＤｅＮＢが送信する無線フレームのＳＦＮとが同時刻で何フレームずれているか（リレーノードＲＮと第２無線基地局Ｓ-ＤｅＮＢとの間のＳＦＮ（無線フレームの先頭位置）のずれ）について測定し、「ＲＲＣ  Ｃｏｎｎｅｃｔｉｏｎ  Ｒｅｃｏｎｆｉｇｕｒａｔｉｏｎ  Ｃｏｍｐｌｅｔｅ」等を用いて、かかる測定結果について無線基地局ＤｅＮＢに対して通知するように構成されていてもよい。
【００９１】
また、無線基地局ＤｅＮＢの受信部２２は、リレーノードＲＮによって送信された「ＲＲＣ  Ｃｏｎｎｅｃｔｉｏｎ  Ｒｅｃｏｎｆｉｇｕｒａｔｉｏｎ  Ｃｏｍｐｌｅｔｅ」から、リレーノードＲＮが送信する無線フレームのＳＦＮと第２無線基地局Ｓ-ＤｅＮＢが送信する無線フレームのＳＦＮとが同時刻で何フレームずれているか（リレーノードＲＮと第２無線基地局Ｓ-ＤｅＮＢとの間のＳＦＮのずれ）を取得するように構成されていてもよい。
【００９２】
以上に述べた本実施形態の特徴は、以下のように表現されていてもよい。
【００９３】
本実施形態の第１の特徴は、移動通信方法であって、リレーノードＲＮが、無線基地局ＤｅＮＢによって送信されている報知情報に基づいて、無線基地局ＤｅＮＢとの間のＳＦＮ同期処理（同期処理）を行う工程Ａと、リレーノードＲＮが、無線基地局ＤｅＮＢとの間でＲＲＣコネクション（コネクション）を設定する際に、無線基地局ＤｅＮＢに対して、ＳＦＮ同期処理の結果を通知する工程Ｂとを有することを要旨とする。
【００９４】
本実施形態の第１の特徴において、工程Ｂにおいて、リレーノードＲＮは、ＲＲＣコネクションの設定手順において送信される「ＲＲＣ  Ｃｏｎｎｅｃｔｉｏｎ  Ｒｅｃｏｎｆｉｇｕｒａｔｉｏｎ  Ｃｏｍｐｌｅｔｅ」によって、無線基地局ＤｅＮＢに対して、ＳＦＮ同期処理の結果を通知してもよい。
【００９５】
本実施形態の第１の特徴において、無線基地局ＤｅＮＢが、ＳＦＮ同期処理の結果が失敗である場合、リレーノードＲＮに対して、ＳＦＮ同期処理を行うように要求する工程Ｃを更に有してもよい。
【００９６】
本実施形態の第１の特徴において、工程Ｃにおいて、無線基地局ＤｅＮＢは、ＲＲＣコネクションの構成を変更するための信号、例えば、「ＲＲＣ  Ｃｏｎｎｅｃｔｉｏｎ  Ｒｅｃｏｎｆｉｇｕｒａｔｉｏｎ」によって、ＳＦＮ同期処理を行うように要求してもよい。
【００９７】
本実施形態の第２の特徴は、無線基地局ＤｅＮＢであって、リレーノードＲＮとの間でＲＲＣコネクションを設定する際に、リレーノードＲＮによって行われた無線基地局ＤｅＮＢとの間のＳＦＮ同期処理の結果を取得するように構成されている受信部２２と、ＳＦＮ同期処理の結果が失敗である場合、リレーノードＲＮに対して、ＳＦＮ同期処理を行うように要求するように構成されている送信部２１とを具備することを要旨とする。
【００９８】
本実施形態の第２の特徴において、受信部２２は、ＲＲＣコネクションの設定手順において送信される「ＲＲＣ  Ｃｏｎｎｅｃｔｉｏｎ  Ｒｅｃｏｎｆｉｇｕｒａｔｉｏｎ  Ｃｏｍｐｌｅｔｅ」から、ＳＦＮ同期処理の結果を取得するように構成されていてもよい。
【００９９】
本実施形態の第２の特徴において、送信部２１は、ＲＲＣコネクションの構成を変更するための信号、例えば、「ＲＲＣ  Ｃｏｎｎｅｃｔｉｏｎ  Ｒｅｃｏｎｆｉｇｕｒａｔｉｏｎ」によって、ＳＦＮ同期処理を行うように要求するように構成されていてもよい。
【０１００】
本実施形態の第３の特徴は、リレーノードＲＮであって、無線基地局ＤｅＮＢによって送信されている報知情報に基づいて、無線基地局ＤｅＮＢとの間のＳＦＮ同期処理を行うように構成されている同期処理部１２と、無線基地局ＤｅＮＢとの間でＲＲＣコネクションを設定する際に、無線基地局ＤｅＮＢに対して、ＳＦＮ同期処理の結果を通知するように構成されている送信部１３とを具備することを要旨とする。
【０１０１】
本実施形態の第３の特徴において、送信部１３は、ＲＲＣコネクションの設定手順において送信される「ＲＲＣ  Ｃｏｎｎｅｃｔｉｏｎ  Ｒｅｃｏｎｆｉｇｕｒａｔｉｏｎ  Ｃｏｍｐｌｅｔｅ」によって、無線基地局ＤｅＮＢに対して、ＳＦＮ同期処理の結果を通知するように構成されていてもよい。
【０１０２】
本実施形態の第４の特徴は、移動通信方法であって、リレーノードＲＮが、無線基地局ＤｅＮＢによって送信されている報知情報に基づいて、リレーノードＲＮと無線基地局ＤｅＮＢとの間のＳＦＮのずれ（リレーノードＲＮと無線基地局ＤｅＮＢとの間の無線フレームの先頭位置のずれ）を測定する工程Ａと、リレーノードＲＮが、無線基地局ＤｅＮＢとの間でＲＲＣコネクションを設定する際に、無線基地局ＤｅＮＢに対して、上述のＳＦＮのずれを通知する工程Ｂとを有することを要旨とする。
【０１０３】
本実施形態の第４の特徴において、工程Ｂにおいて、リレーノードＲＮは、ＲＲＣコネクションの設定手順において送信される「ＲＲＣ  Ｃｏｎｎｅｃｔｉｏｎ  Ｒｅｃｏｎｆｉｇｕｒａｔｉｏｎ  Ｃｏｍｐｌｅｔｅ」によって、無線基地局ＤｅＮＢに対して、上述のＳＦＮのずれを通知してもよい。
【０１０４】
本実施形態の第５の特徴は、リレーノードＲＮであって、無線基地局ＤｅＮＢによって送信されている報知情報に基づいて、上述のＳＦＮのずれを測定するように構成されている同期処理部１２と、無線基地局ＤｅＮＢとの間でＲＲＣコネクションを設定する際に、無線基地局ＤｅＮＢに対して、上述のＳＦＮのずれを通知するように構成されている送信部１３とを具備することを要旨とする。
【０１０５】
本実施形態の第５の特徴において、送信部１３は、ＲＲＣコネクションの設定手順において送信される「ＲＲＣ  Ｃｏｎｎｅｃｔｉｏｎ  Ｒｅｃｏｎｆｉｇｕｒａｔｉｏｎ  Ｃｏｍｐｌｅｔｅ」によって、無線基地局ＤｅＮＢに対して、上述のＳＦＮのずれを通知するように構成されていてもよい。
【０１０６】
なお、上述の無線基地局ＤｅＮＢやリレーノードＲＮやコアノードＣＮや移動局ＵＥの動作は、ハードウェアによって実施されてもよいし、プロセッサによって実行されるソフトウェアモジュールによって実施されてもよいし、両者の組み合わせによって実施されてもよい。
【０１０７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＤｅＮＢやリレーノードＲＮやコアノードＣＮや移動局ＵＥ内に設けられていてもよい。また、かかる記憶媒体及びプロセッサは、ディスクリートコンポーネントとして無線基地局ＤｅＮＢやリレーノードＲＮやコアノードＣＮや移動局ＵＥ内に設けられていてもよい。
【０１０９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１０】
ＲＮ…リレーノード
１１…受信部
１２…同期処理部
１３…送信部
１４…スケジューリング部
ＤｅＮＢ…無線基地局
２１…送信部
２２…受信部
２３…スケジューリング部
【図１】
2011004373.tif 000003
【図２】
2011004373.tif 000004
【図３】
2011004373.tif 000005
【図４】
2011004373.tif 000006
【図５】
2011004373.tif 000007
【図６】
2011004373.tif 000008
【図７】
2011004373.tif 000009
【図８】
2011004373.tif 000010
【図９】
2011004373.tif 000011
【手続補正書】
【提出日】平成22年6月23日(2010.6.23)
【手続補正１】
【補正対象書類名】明細書
【補正対象項目名】００６９
【補正方法】変更
【補正の内容】
【００６９】
以下、図７を参照して、本変更例２に係る移動通信システムの動作について説明する。